(57)【特許請求の範囲】
【請求項１】
被加熱物を出し入れする加熱室と、回動する加熱手段と、前記加熱手段を固定するヒータ固定金具と、前記ヒータ固定金具をヒーター回動体に固定するヒーター取付板と、前記ヒーター回動体を回転するヒーター駆動部とを有し、前記ヒーター固定金具は円筒部を有する形状であり、前記円筒部外周に電波シールのためのチョーク構造である周期構造体を形成するとともに、前記加熱手段を挿入するための開口を有するチョークカバー外状の絞り部を加熱室裏板に一体に形成し、前記ヒーター固定金具は前記絞り部の凹部に配され、前記周期構造体の先端外径は前記開口の内径より大きくなるように配置した高周波加熱装置。
【発明の詳細な説明】
【０００１】
【発明の属する技術分野】
本発明は、食品を加熱する高周波加熱装置に関するもので、特に回動するシーズヒーターを搭載するオーブンレンジ式高周波加熱装置に関するものである。
【０００２】
【従来の技術】
従来この種の高周波加熱装置は、図７〜図１４に示されているように、加熱室１の裏板１ａに取り付けた、回動する加熱手段（ヒーター）２を固定するヒーター固定金具３をカシメなどで加熱手段２に接合し、該ヒーター固定金具３にヒーター取付板４を締結し、該ヒーター取付板４を加熱室裏板１ａを貫通させてヒーター駆動部の締結部（図示せず）に該加熱手段２が回動するようにクランク５で締結されている。該加熱手段２は、電熱加熱する場合、被加熱物６の側方、上方、もしくは下方で発熱して該被加熱物６を加熱することが出来る。また、該加熱室１の清掃時に、側方に回転して収納させたり、加熱室側面を拭き掃除したりする時に、中央に出したりすることが必要となる。そして、高周波加熱の時も側方に回転して収納させることが必要となるが、この時に、該加熱手段２が回動する為に固定したヒーター固定金具３と加熱室裏板１ａとの隙間から高周波電磁波７が漏洩しやすい為に、該ヒーター固定金具３と加熱室裏板１ａとの間に電磁波シール構造を設ける必要があった。即ち、ヒーター固定金具３、もしくは加熱室裏板１ａのどちらかに周期構造体（チョーク）を形成して電磁波漏洩を防止する必要があった。従来の構成では、加熱
室裏板１ａ側にチョークカバー外１ｂとチョークカバー中１ｃとの２部品をスポット溶接などで接合して、周期構造体（チョーク）を構成していた。
【０００３】
また、従来のチョークカバー外１ｂとチョークカバー中１ｃでは、周期構造体（チョーク）の形状を隙間（ｇ’）、フランジ高さ（ｈ’）、チョーク高さ（Ｈ’）の寸法で電波シール性能を規定していた為に、それらの高さをあまり低く出来なかった事により、大きめの部品が必要となり、回動部のバラツキも考慮して、加熱室裏板１ａ側（固定側）にスポット溶接などで接合していた。即ち、周期構造体（チョーク）を固定した状態で加熱室裏１ａ側に設けていた。さらには、従来のチョークカバー内１ｄの内側に他の誘電体（金属など）が入り込むと、高周波電磁波７を牽引する事により、その影響が大きくなって、電磁波シール性能が劣化する為に、ヒーター回動体８を支持する為に、ビス１１で支持金具１０に締結された、シャーシー９の内側には、周期構造体（チョーク）を直接配置出来なかった。
【０００４】
【発明が解決しようとする課題】
従来この種の高周波加熱装置では、図７〜図１４に示されているように、加熱室１の裏板１ａに取り付けた、回動する加熱手段（ヒーター）２を固定するヒーター固定金具３をカシメなどで加熱手段２に接合し、該ヒーター固定金具３にヒーター取付板４を締結し、該ヒーター取付板４を加熱室裏板１ａを貫通させてヒーター駆動部の締結部（図示せず）に該加熱手段２が回動するようにクランク５で締結されている。電熱加熱する場合、該加熱手段２は回動して、被加熱物６の側方、上方、もしくは下方で発熱して該被加熱物６を加熱することが出来る。また、該加熱室１の清掃時に、側方に回転して収納させることが必要となる。そして、高周波加熱の時も側方に回転して収納させることが必要となるが、この時に、該加熱手段２が回動する為に固定したヒーター固定金具３と加熱室裏板１ａとの隙間から高周波電磁波７が漏洩しやすい為に、該ヒーター固定金具３と加熱室裏板１ａとの間に電磁波シールを設ける必要があった。即ち、ヒーター固定金具３、もしくは加熱室裏板１ａのどちらかに周期構造体（チョーク）を形成して電磁波漏洩を防止する必要があった。
【０００５】
従来の構成では、一つには、チョークカバー外１ｂ・チョークカバー中１ｃ・チョークカバー内１ｄの三部品によって周期構造体（チョーク）を構成しなければならず、且つ、チョーク性能の確保の為にチョーク寸法も大きく取らなければならず、更に、加熱手段（ヒーター）２を取り付けるヒーター取付板４、ヒーター回動体８、及び、シャーシー９を周期構造体（チョーク）内に干渉しないように外に出さなければならず、構造的に相当大きなものにせざるを得なかった。従って、本高周波加熱装置自体も外形（後面）寸法が大きくなり、本体の設置性もあまり推奨できるものでなく、一般的な家庭の台所には窮屈な設置寸法となっていた。
【０００６】
また、二つ目には、周期構造体（チョーク）を形成する為のチョークカバー外１ｂ・チョークカバー中１ｃの二部品を加熱室裏板１ａにスポット溶接などで取り付けなければならず、部品点数も多くなり、かつ、加工性もあまり良いものではなく、周期構造体として要求される寸法精度にも不利な構造であった。
【０００７】
そして、チョークカバー外１ｂとチョークカバー中１ｃとを加熱室裏板１ａにスポット溶接する為のスポットしろが必要なことと、チョークカバー外１ｂの絞り深さが必要な為に、周期構造体を形成すべきチョークカバー中１ｃとチョークカバー内１ｄとの対向する位置がチョークカバー外１ｂの側壁と離れてしまう事になり、チョークカバー外１ｂの開口部にも近づき、電波シール性能が必ずしも十分とはいえない構造にならざるを得なかった。
【０００８】
【課題を解決するための手段】
本発明は上記課題を解決するために、加熱室裏板にチョークカバー外状のものを一体に絞って形成して、且つ、ヒーター固定金具の円筒部外周に周期構造体（チョーク）を形成し、更にヒーター取付板を低くすると共に、ヒーター貫通部のシャーシー、及び、支持金具を小さくすることで周期構造体への影響を最小限に止め、チョーク性能を維持して薄型でコンパクトな電波漏洩防止構造を提供する周期構造体を設けるものである。
【０００９】
上記発明によれば、加熱室裏板と、ヒーター固定金具と、ヒーター取付板とで、加熱手段（ヒーター）との隙間に設ける簡易な構造で、加熱室裏板からヒーター回動部を貫通して漏れる高周波電磁波の漏洩防止機能を持たせると共に、本高周波加熱装置の設置性をも向上することが出来る。
【００１０】
【発明の実施の形態】
本発明にかかる高周波加熱装置は、被加熱物を出し入れする加熱室と、回動する加熱手段と、前記加熱手段を固定するヒータ固定金具と、前記ヒータ固定金具をヒーター回動体に固定するヒーター取付板と、前記ヒーター回動体を回転するヒーター駆動部とを有し、前記ヒーター固定金具は円筒部を有する形状であり、前記円筒部外周に電波シールのためのチョーク構造である周期構造体を形成するとともに、前記加熱手段を挿入するための開口を有するチョークカバー外状の絞り部を加熱室裏板に一体に形成し、前記ヒーター固定金具は前記絞り部の凹部に配され、前記周期構造体の先端外径は前記開口の内径より大きくなるように配置する構成としたものである。
【００１１】
そして、この構成により、加熱室裏板と、ヒーター固定金具と、ヒーター取付板との、三部品で電磁波抑制構造（電磁波シール）を形成して、加熱室裏板とヒーター固定金具の隙間から漏れる高周波電磁波を減衰させて、電磁波漏洩防止機能を持たせる事が出来ると共に、部品点数を減じる事が出来、本高周波加熱装置のコストダウンを図ることにより、本高周波加熱装置の収益性を向上することが出来る。
【００１２】
【実施例】
以下、本発明の実施例について図面を用いて説明する。
【００１３】
（実施例１）
図１は本発明の実施例１の高周波加熱装置の加熱手段（ヒーター）固定部の断面図である。また、図２は実施例１の高周波加熱装置の断面図である。また、図３は実施例１の高周波加熱装置の周期構造体の斜視断面図である。また、図４は実施例１の高周波加熱装置のヒーター固定金具の正面図及び、平面図である。また、図５は実施例１の高周波加熱装置のチョークカバー内の正面図及び、平面図である。また、図６は実施例１の高周波加熱装置のヒーター取付板の正面図及び、平面図である。
【００１４】
図１〜図６において、１４は被加熱物１３を出し入れする加熱室、１５は加熱室１３の裏板１４ａに取り付けた加熱手段であるヒーター、１５ａはヒーター１５を固定するヒーター固定金具、１５ｂはヒーター固定金具１５ａに締結したヒーター取付板、１５ｃはヒーター取付板１５ｂにスポット溶接などで取り付けたチョークカバー内で、１６はヒーター１５を締結して、回動させるヒーター回動体、１７と１８は加熱手段１５を間接的に回転させる為に、ヒーター回動体１６を挿入して固定するシャーシー及び、支持金具、１９はヒーター回動体１６を直接モーター（図示せず）で回転させるクランク、２０は前記シャーシー１７及び、支持金具１８を締結するビスである。２１はマグネトロン２２から被加熱物１３に照射した時に漏れ出てくる高周波電磁波である。
【００１５】
ヒーター１５は、被加熱物１３に焦げ目などを付ける場合に、モーター（図示せず）か
ら駆動されてクランク１９を介してヒーター回動体１６を回転させ、加熱室１４内にある被加熱物１３を側方、上方、もしくは下方から発熱輻射によって被加熱物１３の外周全体から適切に調理するものである。
【００１６】
一方、高周波加熱を行う場合には、ヒーター１５は加熱室１４の側面に回転収納されるが、この時高周波電磁波２１はヒーター１５が一つのアンテナとなって高周波電磁波２１を伝播させて電磁波牽引の役目を果たすことが分かっており、その防止構造が必要であった。
【００１７】
そこで、従来から加熱室裏板に周期構造体となる部品をスポット溶接などで取り付ける方式が採用されてきていたが、高周波加熱装置本体や、部品点数も多く、構造も複雑であり、コスト的にも負担が大きかった。また、高周波加熱装置の本体寸法（後面）も大きくなり、台所での設置性も好ましいものではなく、より薄型でコンパクトな構造が求められていた。
【００１８】
そこで、この実施例においては、まず、加熱室裏板１４ａの形状を工夫することでその外側に周期構造体（チョーク）の役割も持たせた構造として、部品点数を削減すると共に、高周波加熱装置本体の寸法も小さくすることが出来た。更に、従来周期構造体の役目をしていたチョークカバー中の代わりにヒーター固定金具１５ａの円筒部外周に周期構造体を一体に形成して、合計二部品を廃止すると共に、ヒーター１５から牽引されて直接伝播してくる高周波電磁波２１の成分を大きく減衰させることで電磁波漏洩防止機能の効果を改善した。更に、その効果により、周期構造体そのものの大きさも従来より小さくすることが出来るようになった。即ち、チョーク部の必要高さＨを抑える事が出来、加熱室裏板１４ａの絞り高さも低く抑える事が出来るようになった。且つ、加熱室裏板１４ａと、ヒーター固定金具１５ａとの電磁波漏洩抑制効果により、その内側にあるチョークカバー内１５ｃの中への高周波電磁波の影響が弱まった為に、ヒーター回動体１６を挿入しているシャーシー１７をチョークカバー内１５ｃの内側へ入り込むような構造が可能となり、シャーシー１７の形状を改善して相対高さを低くすることが出来、ヒーター回動体１６の取付位置をチョークカバー内１５ｃの内側に取り付けることで、本高周波加熱装置の後部の出寸法を小さくすることが可能となった。
【００１９】
以上説明したように実施例１によれば、ヒーター固定金具に一体化した周期構造体を設けることで、加熱室裏板に取り付けていた部品を廃止することが出来、設置性の優れたコンパクトな寸法を維持しつつ、高周波電磁波漏洩を抑える構成を提供できる。
【００２０】
（実施例２）
図４は本発明の実施例２の高周波加熱装置のヒーター固定金具の正面図及び、断面図である。
【００２１】
なお実施例１と同一符号のものは同一構成を有する。
【００２２】
図１〜図６において、１４は被加熱物１３を出し入れする加熱室、１５は加熱室１３の裏板１４ａに取り付けた加熱手段であるヒーター、１５ａは加熱手段（ヒーター）１５を固定するヒーター固定金具、１５ｂはヒーター固定金具１５ａに締結したヒーター取付板、１５ｃはヒーター取付板１５ｂにスポット溶接などで取り付けたチョークカバー内で、１６はヒーター１５を締結して、回動させるヒーター回動体、１７と１８は加熱手段１５を間接的に回転させる為に、ヒーター回動体１６を挿入して固定するシャーシー及び、支持金具、１９はヒーター回動体１６を直接モーター（図示せず）で回転させるクランク、２０は前記シャーシー１７及び、支持金具１８を締結するビスである。２１はマグネトロン２２から被加熱物１３に照射した時に漏れ出てくる高周波電磁波である。
【００２３】
ヒーター１５は、被加熱物１３に焦げ目などを付ける場合に、モーター（図示せず）から駆動されてクランク１９を介してヒーター回動体１６を回転させ、加熱室１４内にある被加熱物１３を側方、上方、もしくは下方から発熱輻射によって被加熱物１３の外周全体から適切に調理するものである。
【００２４】
一方、高周波加熱を行う場合には、ヒーター１５は加熱室１４の側面に回転収納されるが、この時高周波電磁波２１はヒーター１５が一つのアンテナとなって高周波電磁波２１を伝播させて電磁波牽引の役目を果たすことが分かっており、その防止構造が必要であった。
【００２５】
そこで、従来から加熱室裏板に周期構造体となる部品をスポット溶接などで取り付ける方式が採用されてきていたが、高周波加熱装置本体や、部品点数も多く、構造も複雑であり、コスト的にも負担が大きかった。また、高周波加熱装置の本体寸法（後面）も大きくなり、台所での設置性も好ましいものではなく、より薄型でコンパクトな構造が求められていた。
【００２６】
そこで、この実施例においては、まず、加熱室裏板１４ａの形状を工夫することでその外側に周期構造体（チョーク）の役割も持たせた構造として、部品点数を削減すると共に、高周波加熱装置本体の寸法も小さくすることが出来た。更に、従来周期構造体の役目をしていたチョークカバー中の代わりにヒーター固定金具１５ａの円筒部外周に周期構造体を一体に形成して、合計二部品を廃止すると共に、ヒーター１５から牽引されて直接伝播してくる高周波電磁波２１の成分を大きく減衰させることで電磁波漏洩防止機能の効果を改善した。更に、その効果により、周期構造体そのものの大きさも従来より小さくすることが出来るようになった。即ち、チョーク部の必要高さＨを抑える事が出来、加熱室裏板１４ａの絞り高さも低く抑える事が出来るようになった。且つ、加熱室裏板１４ａと、ヒーター固定金具１５ａとの電磁波漏洩抑制効果により、その内側にあるチョークカバー内１５ｃの中への高周波電磁波の影響が弱まった為に、ヒーター回動体１６を挿入しているシャーシー１７をチョークカバー内１５ｃの内側へ入り込むような構造が可能となり、シャーシー１７の形状を改善して相対高さを低くすることが出来、ヒーター回動体１６の取付位置をチョークカバー内１５ｃの内側に取り付けることで、本高周波加熱装置の後部の出寸法を小さくすることが可能となった。
【００２７】
図４において、ヒーター固定金具１５ａの周期構造体（略Ｔ字状）間の隙間（ｇ）、フランジ高さ（ｈ）、及び開口幅（ｉ）の寸法を適切に調整して、概ねλ／４の波長、ないしはその整数倍に近似させることで、チョーク高さ（Ｈ）を低く抑えたままで、高周波電磁波２１の漏洩抑制に効果をもたらす構成を確保できるものである。即ち、周期構造体の各寸法に付いては、略Ｔ字状の形状に拘ること無く、隙間（ｇ），フランジ高さ（ｈ）、開口幅（ｉ）などの寸法の最適な組み合わせにより決まることは言うまでもない。
【００２８】
以上説明したように実施例２によれば、ヒーター固定金具に一定間隔の周期構造体を設けることで、加熱室裏板に取り付けていた部品を廃止することが出来、設置性の優れた、より薄型でコンパクトな寸法を維持しつつ、高周波電磁波漏洩を抑える構成を提供できる。
【００２９】
（実施例３）
図３は本発明の実施例３の高周波加熱装置の周期構造体の斜視断面図である。
【００３０】
なお実施例１と同一符号のものは同一構成を有する。
【００３１】
図１〜図６において、１４は被加熱物１３を出し入れする加熱室、１５は加熱室１３の裏板１４ａに取り付けた加熱手段であるヒーター、１５ａはヒーター１５を固定するヒーター固定金具、１５ｂはヒーター固定金具１５ａに締結したヒーター取付板、１５ｃはヒーター取付板１５ｂにスポット溶接などで取り付けたチョークカバー内で、１６はヒーター１５を締結して、回動させるヒーター回動体、１７と１８は加熱手段１５を間接的に回転させる為に、ヒーター回動体１６を挿入して固定するシャーシー及び、支持金具、１９はヒーター回動体１６を直接モーター（図示せず）で回転させるクランク、２０は前記シャーシー１７及び、支持金具１８を締結するビスである。２１はマグネトロン２２から被加熱物１３に照射した時に漏れ出てくる高周波電磁波である。
【００３２】
ヒーター１５は、被加熱物１３に焦げ目などを付ける場合に、モーター（図示せず）から駆動されてクランク１９を介してヒーター回動体１６を回転させ、加熱室１４内にある被加熱物１３を側方、上方、もしくは下方から発熱輻射によって被加熱物１３の外周全体から適切に調理するものである。
【００３３】
一方、高周波加熱を行う場合には、ヒーター１５は加熱室１４の側面に回転収納されるが、この時高周波電磁波２１はヒーター１５が一つのアンテナとなって高周波電磁波２１を伝播させて電磁波牽引の役目を果たすことが分かっており、その防止構造が必要であった。
【００３４】
そこで、従来から加熱室裏板に周期構造体となる部品をスポット溶接などで取り付ける方式が採用されてきていたが、高周波加熱装置本体や、部品点数も多く、構造も複雑であり、コスト的にも負担が大きかった。また、高周波加熱装置の本体寸法（後面）も大きくなり、台所での設置性も好ましいものではなく、より薄型でコンパクトな構造が求められていた。
【００３５】
そこで、この実施例においては、まず、加熱室裏板１４ａの形状を工夫することでその外側に周期構造体（チョーク）の役割も持たせた構造として、部品点数を削減すると共に、高周波加熱装置本体の寸法も小さくすることが出来た。更に、従来周期構造体の役目をしていたチョークカバー中の代わりにヒーター固定金具１５ａの円筒部外周に周期構造体を一体に形成して、合計二部品を廃止すると共に、ヒーター１５から牽引されて直接伝播してくる高周波電磁波２１の成分を大きく減衰させることで電磁波漏洩防止機能の効果を改善した。更に、その効果により、周期構造体そのものの大きさも従来より小さくすることが出来るようになった。即ち、チョーク部の必要高さＨを抑える事が出来、加熱室裏板１４ａの絞り高さも低く抑える事が出来るようになった。且つ、加熱室裏板１４ａと、ヒーター固定金具１５ａとの電磁波漏洩抑制効果により、その内側にあるチョークカバー内１５ｃの中への高周波電磁波の影響が弱まった為に、ヒーター回動体１６を挿入しているシャーシー１７をチョークカバー内１５ｃの内側へ入り込むような構造が可能となり、シャーシー１７の形状を改善して相対高さを低くすることが出来、ヒーター回動体１６の取付位置をチョークカバー内１５ｃの内側に取り付けることで、本高周波加熱装置の後部の出寸法を小さくすることが可能となった。
【００３６】
図３において、加熱室裏板１４ａの絞った側壁、及び底部において、ヒーター固定金具１５ａの周期構造体（チョーク）の先端とが必要十分にオーバーラップしている為にその隙間で電波シール性能が十分に確保される構造にすることが出来る。即ち、ヒーター固定金具１５ａを一体化して絞ったことにより、その周期構造体を可能な限り加熱室裏板１４ａに近づけることが出来ると共に、加熱室裏板１４ａも絞り深さを低く出来たことにより、ヒーター固定金具１５ａの先端側へ細く絞ることが出来て、電波シール性能を更に向上させることが出来た。
【００３７】
以上説明したように実施例３によれば、ヒーター固定金具の円筒部外周に形成した周期構造体（略Ｔ字状）の先端外径を加熱室裏板の絞り部開口の内径より大きくなるように、配置することで、加熱室裏板とチョークカバー外で形成される周期構造体のオーバーラップ寸法を確保でき、電波シール性能を向上できると共に、加熱室裏板に一体化してチョークカバー外状のものを絞って形成することで、位置ずれの少ない寸法精度の安定した周期構造体構成を提供できる。そして、加熱室裏板に取り付けていた部品を廃止することが出来、設置性の優れた、より薄型でコンパクトな寸法を維持しつつ、高周波電磁波漏洩を抑える構成を提供できるものである。
【００３８】
【発明の効果】
以上説明したように本発明によれば、ヒーター固定金具に一定間隔の略Ｔ字状フランジや簡単な形状の周期構造体を設けることで、ヒーター固定金具とヒーター取付板と加熱室裏板との隙間に新たな部品を取り付ける必要も無く、回動に対する擦れ防止の為の隙間を確保しつつ、電磁波漏洩を抑える構成を提供できる。即ち、加熱手段（ヒーター）を介して伝播してヒーター固定金具、ヒーター取付板等から漏れた高周波電磁波を大きく減衰させ、インバータ制御部他の電子回路などに影響を及ぼし、誤動作や電子部品破壊に至るといった事態を防ぐことが出来ると共に、より薄型でコンパクトな設置寸法を提供して、設置性の向上を図ると共に、高周波電磁波漏洩の規格をも満足する性能を確保しつつ、かつ安価で、信頼性の高い構造を提供できるものである。
【図面の簡単な説明】
【図１】  本発明の実施例１の高周波加熱装置の加熱手段（ヒーター）固定部の断面図
【図２】  同高周波加熱装置の断面図
【図３】  同高周波加熱装置の周期構造体の斜視断面図
【図４】  （ａ）同高周波加熱装置のヒーター固定金具の正面図
（ｂ）同高周波加熱装置のヒーター固定金具の平面図
【図５】  （ａ）同高周波加熱装置のチョークカバー内の正面図
（ｂ）同高周波加熱装置のチョークカバー内の平面図
【図６】  （ａ）同高周波加熱装置のヒーター取付板の正面図
（ｂ）同高周波加熱装置のヒーター取付板の平面図
【図７】  従来の高周波加熱装置の加熱手段（ヒーター）固定部の断面図
【図８】  従来の高周波加熱装置の断面図
【図９】  従来の高周波加熱装置の周期構造体の斜視断面図
【図１０】  （ａ）従来の高周波加熱装置のチョークカバー外の正面図
（ｂ）従来の高周波加熱装置のチョークカバー外の平面図
【図１１】  （ａ）従来の高周波加熱装置のチョークカバー中の正面図
（ｂ）従来の高周波加熱装置のチョークカバー中の平面図
【図１２】  （ａ）従来の高周波加熱装置のチョークカバー内の正面図
（ｂ）従来の高周波加熱装置のチョークカバー内の平面図
【図１３】  （ａ）従来の高周波加熱装置のヒーター固定金具の正面図
（ｂ）従来の高周波加熱装置のヒーター固定金具の平面図
【図１４】  （ａ）従来の高周波加熱装置のヒーター取付板の正面図
（ｂ）従来の高周波加熱装置のヒーター取付板の平面図
【符号の説明】
１４  加熱室
１４ａ  加熱室裏板
１５  ヒーター（加熱手段）
１５ａ  ヒーター固定金具
１５ｂ  ヒーター取付板
１５ｃ  チョークカバー内
１６  ヒーター回動体
１７  シャーシー
１８  支持金具
１９  クランク
２０  ビス
２１  高周波電磁波
【図１】
0003807159.tif 000002
【図２】
0003807159.tif 000003
【図３】
0003807159.tif 000004
【図４】
0003807159.tif 000005
【図５】
0003807159.tif 000006
【図６】
0003807159.tif 000007
【図７】
0003807159.tif 000008
【図８】
0003807159.tif 000009
【図９】
0003807159.tif 000010
【図１０】
0003807159.tif 000011
【図１１】
0003807159.tif 000012
【図１２】
0003807159.tif 000013
【図１３】
0003807159.tif 000014
【図１４】
0003807159.tif 000015